(57)【要約】      （修正有）【課題】費用上昇を招来するインターロック（Ｉｎｔｅｒｌｏｃｋ）を適用しなくても意図しない高電圧カバーの脱去を防ぐことができ、ＨＥＶ高電圧バッテリーの高電圧部に対する確実な安全性確保によって消費者感性指数の増大と消費者信頼性を高める高電圧バッテリーの高電圧安全装置を提供する。【解決手段】高電圧部側の電気回路をなすスイッチを形成し、高電圧カバー３の位置ホール３ａに挟まれるように突出したスイッチ端子５、および前記スイッチ端子に挟まれればスイッチを連結して電気回路を形成し、前記高電圧カバー側の部位を占有する大きさを有するプラグ６、を備える。【選択図】図１
2011120448.tif 000002
【特許請求の範囲】
【請求項１】
高電圧部側の電気回路をなすスイッチを形成し、高電圧カバーの位置ホールに挟まれるように突出したスイッチ端子、および
前記スイッチ端子に挟まれればスイッチを連結して電気回路を形成し、前記高電圧カバー側の部位を占有する大きさを有するプラグ、
を備えて構成されることを特徴とする高電圧バッテリーの高電圧安全装置。
【請求項２】
前記スイッチ端子は、前記高電圧カバーの位置ホールに挟まれた状態で高電圧カバーから突出することを特徴とする、請求項１に記載の高電圧バッテリーの高電圧安全装置。
【請求項３】
前記プラグは、手で握って操作することができるハンドルと、スイッチ端子側に挟まれれば高電圧部と電気回路を連結するように前記ハンドルから突出したスイッチ接続端とで構成することを特徴とする、請求項１に記載の高電圧バッテリーの高電圧安全装置。
【請求項４】
前記ハンドルは、前記高電圧カバーの位置ホール周辺部位を遮ることができる大きさでなされることを特徴とする、請求項３に記載の高電圧バッテリーの高電圧安全装置。
【発明の詳細な説明】
【技術分野】
【０００１】
本発明は高電圧バッテリーに関し、特に、高電圧カバーで遮られた高電圧バッテリーの高電圧部に対する安全装置に関する。
【背景技術】
【０００２】
一般的にハイブリッドシステムには、効率的な燃費を算出するためにＨＥＶ高電圧バッテリーを必須で用いる。
しかしながら、このようなＨＥＶ高電圧バッテリーが持つ１００Ｖ〜３００Ｖ  ＤＣ電圧によって人体に深刻な危険を与えることもあり、誤操作時に電装部品を損傷させることもあるという危険性も共存する。
【０００３】
これにより、実車に装着されるＨＥＶ高電圧バッテリーには、高電圧部の露出を防いで安全を強化することができるインターロック（Ｉｎｔｅｒｌｏｃｋ）タイプの安全装置を多様に適用する。
しかしながら、インターロックタイプの安全装置は、高電圧カバー側の脱去防止によって高電圧部に対する安全性は強化されるが、インターロックを用いた複雑な構造により、整備あるいは脱去時の安全カバー作業性が不便であると共に費用も増加せざるを得なくなる。
【先行技術文献】
【特許文献】
【０００４】
【特許文献１】特開２０００−９２６０５
【発明の概要】
【発明が解決しようとする課題】
【０００５】
これにより、本発明は上述したような問題点を解決するために導き出されたものであって、１００Ｖ〜３００Ｖ  ＤＣタイプのＨＥＶ高電圧バッテリーの高電圧部に対する安全強化のためのインターロック（Ｉｎｔｅｒｌｏｃｋ）を適用しなくても意図しない高電圧カバー脱去を防ぎ、インターロック（Ｉｎｔｅｒｌｏｃｋ）を適用しないことによって整備あるいは脱去時に容易な安全カバー作業性を確保しながら費用も節減することができる高電圧カバー安全装置を提供することを目的とする。
【課題を解決するための手段】
【０００６】
上述したような目的を達成するため、本発明は、高電圧バッテリーの高電圧安全装置が高電圧部側の電気回路をなすスイッチを形成し、高電圧カバーの位置ホールに挟まるように突出したスイッチ端子と、前記スイッチ端子に挟まれればスイッチを連結して電気回路を形成し、前記高電圧カバー側の部位を占有する大きさを有するプラグとを備えて構成されることを特徴とする。
【０００７】
前記スイッチ端子は、前記高電圧カバーの位置ホールに挟まれた状態で高電圧カバーから突出する。
【０００８】
前記プラグは、手で握って操作することができるハンドルと、スイッチ端子側に挟まれれば高電圧部と電気回路を連結するように前記ハンドルから突出したスイッチ接続端とで構成する。
【０００９】
前記ハンドルは、前記高電圧カバーの位置ホール周辺部位を遮ることができる大きさでなされる。
【発明の効果】
【００１０】
このような本発明によれば、意図しない高電圧カバーの脱去防止がインターロック（Ｉｎｔｅｒｌｏｃｋ）を適用せずに実現されるため、整備あるいは脱去による安全カバー作業性が容易であるという効果を有し、インターロック除去による費用も節減されるという効果を有する。
【００１１】
さらに、ＨＥＶ高電圧バッテリーの高電圧部に対する安全強化により、消費者感性指数の増大と消費者信頼性を確保できるという効果も有する。
【図面の簡単な説明】
【００１２】
【図１】本発明に係る高電圧カバー安全装置を適用した高電圧バッテリーの構成図である。
【図２】本発明に係る高電圧安全装置が結合された高電圧バッテリーの状態図である。
【図３】本発明に係る高電圧安全装置と電気回路が連結した状態の回路図である。
【図４】本発明に係る高電圧安全装置と電気回路が切断した状態の回路図である。
【発明を実施するための形態】
【００１３】
以下、本発明の実施形態について添付の図面を参照しながら詳しく説明するが、このような実施形態は一例に過ぎず、本発明が属する技術分野において通常の知識を有する者が多様に相違する形態で実現することができるため、ここで説明する実施形態に限定されることはない。
【００１４】
図１は、本発明に係る高電圧安全装置を適用した高電圧バッテリーの構成図を示すものであり、本発明のＨＥＶ高電圧バッテリー１は、一側に構成された高電圧部２を遮って安全性を確保する高電圧カバー３を備え、前記高電圧カバー３の意図しない脱去を防ぐための安全装置４を備える。
【００１５】
本実施形態において、前記安全装置４は、高電圧部２と回路を形成するスイッチ端子５と、結合時に前記スイッチ端子５の電気回路を連結して脱去されないように高電圧カバー３を拘束するプラグ６とで構成する。
【００１６】
前記スイッチ端子５は突出したコネクタータイプで高電圧部２側に備えられ、前記スイッチ端子５は高電圧カバー３の位置ホール３ａに挟まれて高電圧部２を遮るように結合された高電圧カバー３の動きを拘束させる。
【００１７】
前記プラグ６は高電圧カバー３の位置ホール３ａ周辺部位を遮ることができる大きさでなされ、手で握って操作することができるハンドル７と、スイッチ端子５側に挟まれれば高電圧部２と電気回路を連結するように前記ハンドル７から突出したスイッチ接続端８とで構成する。
【００１８】
図２は、本実施形態に係る安全装置４を適用したＨＥＶ高電圧バッテリー１の組み立て状態を示す。
図２に示すように、高電圧部２側から突出したスイッチ端子５を位置ホール３ａに挟んで高電圧カバー３で高電圧部２を遮り、プラグ６をスイッチ端子５に挟み結合する。
【００１９】
このような組み立てがなされれば、前記プラグ６は高電圧カバー３の位置ホール３ａから突出したスイッチ端子５部位を覆う状態となり、プラグ６をなすハンドル７部位が高電圧カバー３の位置ホール３ａ周辺部位を遮りながら視認性を高めるようになる。
【００２０】
図３は、プラグ６の結合によって高電圧部２の電気回路が連結した状態を示す。
このような電気回路連結は、プラグ６がスイッチ端子５に挟まれれば、前記プラグ６をなすハンドル７側から突出したスイッチ接続端８がスイッチ端子５の内側に挿入されることによって簡単に実現される。
【００２１】
このように安全装置４をなすプラグ６が高電圧部２側のスイッチ端子５に結合されれば、スイッチ接続端８がスイッチ連結によって高電圧部２側に対する電気回路を形成し、ハンドル７が高電圧カバー３の位置ホール３ａよりも大きい形状で高電圧カバー３を拘束するようになる。
【００２２】
このような状態では、プラグ６を分離せずに高電圧カバー３を脱去しようとすれば、前記プラグ６をなすハンドル７部位が高電圧カバー３の動きを拘束することにより、意図しない状態で高電圧カバー３の分離を不可能する。
【００２３】
図４は、プラグ６を外して高電圧部２の電気回路が切れた状態を示す。
このような電気回路の切断は、ハンドル７側を握って引っ張りスイッチ接続端８をスイッチ端子５から外すことにより、スイッチ接続端８がスイッチ連結を切って高電圧部２側の電気回路を形成しないようになる。
【００２４】
プラグ６が外された状態ではプラグ６を介した高電圧カバー３側の拘束がないため、図１のように高電圧カバー３を脱去できるようになる。
すなわち、スイッチ端子５からプラグ６を外した後にスイッチ端子５側から高電圧カバー３を外せば、電気回路が切れた高電圧部２側を開放することができるため、高電圧に対する安全性を十分に確保した状態で作業を実行できるようになる。
【００２５】
このように、本実施形態では、費用上昇を招来するインターロック（Ｉｎｔｅｒｌｏｃｋ）を適用せずにプラグ６を用いながら意図しない高電圧カバー３の脱去を十分に防ぐことができ、脱去時にも高電圧部２側の電気回路を切った後に作業がなされるため、高電圧部側の安全性を確実に確保できるようになる。
【符号の説明】
【００２６】
１    ＨＥＶ高電圧バッテリー
２    高電圧部
３    高電圧カバー
３ａ    位置ホール
４    安全装置
５    スイッチ端子
６    プラグ
７    ハンドル
８    スイッチ接続端
【図１】
2011120448.tif 000003
【図２】
2011120448.tif 000004
【図３】
2011120448.tif 000005
【図４】
2011120448.tif 000006